(57)【要約】【課題】  取出口蓋の開閉の際に生じる不快な金属音を軽減し、また、不測の際における衝撃音の緩和とともに、衝撃そのものをも緩和して損傷を防止することができる、サインポストを提供する。【解決手段】  ポスト本体１１背面に取出口２を形成し、この取出口２の下端を軸として取出口蓋３が外方に向かって回動自在に設けられ、取出口蓋３の回動によって取出口２が開閉されるサインポスト１であって、取出口２の左右縁部２１ａ、２１ｂのうち少なくとも片側にダンパー４を配設し、取出口蓋３の裏面下端部に、取出口蓋３の開放に従いダンパー４の緩衝軸４１と接触し、ダンパー４の緩衝力で取出口蓋３の開放を緩やかにする突出部５を設けてなるサインポスト１。【選択図】図１
2006296890.tif 000002
【特許請求の範囲】
【請求項１】
ポスト本体背面に取出口を形成し、この取出口の下端を軸として取出口蓋が外方に向かって回動自在に設けられ、取出口蓋の回動によって取出口が開閉されるサインポストであって、取出口の左右縁部のうち少なくとも片側にダンパーを配設し、取出口蓋の裏面下端部に、取出口蓋の開放に従いダンパーの緩衝軸と接触し、このダンパーの緩衝力で取出口蓋の開放を緩やかにする突出部を設けてなることを特徴とするサインポスト。
【発明の詳細な説明】
【技術分野】
【０００１】
本願発明は、埋め込み型等のサインポストに関するものである。
【背景技術】
【０００２】
従来、サインポストは、通常、ポスト本体前面に形成されている投函物の投入のための投入口と対向して、投函された投函物を取り出すための取出口がポスト本体背面に形成されている。そして、中でも、投函物の取り出しを容易とするために、取出口をカバーする取出口蓋を下開き式としたサインポストが提案されている（たとえば、特許文献１参照）。具体的には、このサインポストは、取出口の下端を軸として取出口蓋が外方に向かって回動自在に設けられ、取出口蓋の回動によって取出口が開閉されることを特徴としている。
【特許文献１】実公平８−５６５０号公報
【発明の開示】
【発明が解決しようとする課題】
【０００３】
しかしながら、上記特許文献１記載のようなサインポストは、取出口蓋の開閉の際に生じる不快な金属音や、不測の際の衝撃音、さらにその衝撃による損傷等があるという問題があった。
【０００４】
そこで、本願発明は、上記従来の問題点を解消するためになされたものであり、取出口蓋の開閉の際に生じる不快な金属音を軽減し、また、不測の際における衝撃音の緩和とともに、衝撃そのものをも緩和して損傷を防止することができる、新しいサインポストを提供することを課題とするものである。
【課題を解決するための手段】
【０００５】
本願発明は、上記の課題を解決するものとして、ポスト本体背面に取出口を形成し、この取出口の下端を軸として取出口蓋が外方に向かって回動自在に設けられ、取出口蓋の回動によって取出口が開閉されるサインポストであって、取出口の左右縁部のうち少なくとも片側にダンパーを配設し、取出口蓋の裏面下端部に、取出口蓋の開放に従いダンパーの緩衝軸と接触し、このダンパーの緩衝力で取出口蓋の開放を緩やかにする突出部を設けてなることを特徴とする。
【発明の効果】
【０００６】
本願発明によれば、取出口蓋の開閉の際に生じる不快な金属音を軽減し、また、不測の際における衝撃音の緩和とともに、衝撃そのものをも緩和して損傷を防止することができる。
【発明を実施するための最良の形態】
【０００７】
本願発明は、上記のとおりの特徴をもつものであるが、以下に、添付した図面に沿って、本願発明の実施形態について詳細かつ具体的に説明する。
【０００８】
図１は、本願発明のサインポストの一実施形態を例示した全体斜視図であり、（Ａ）は取出口蓋が閉まっている状態、（Ｂ）は取出口蓋が開いている状態を示している。図２は、図１におけるＸ部の拡大図であり、取出口蓋が開放した状態におけるダンパーを例示している。図３は、本願発明の別のサインポストの背部を例示した要部断面斜視図である。
【０００９】
図１および図２に沿って、本願発明のサインポスト１を説明する。本願発明のサインポスト１は、ポスト本体１１の前面に投函物等を投入する投入口（図示せず）を形成しており、また、この投入口と対向するように、ポスト本体１１の背面に、投入された投函物を取り出すための取出口２を形成している。
【００１０】
この取出口２の下端を軸として、取出口蓋３がサインポスト１の外方に向かって回動自在に設けられ、取出口蓋３の回動によって取出口２を開閉するようにしている。具体的には、たとえば、取出口蓋３の下部に少なくとも１つ以上の軸棒支持部材３１を長手方向にわたって設け、この軸棒支持部材３１に設けられた挿通孔（図示せず）に、取出口蓋３を上記のとおり回動せしめるための軸棒３２を挿通するとともに、その左右両端部をポスト本体１１の内壁面に当接保持させている。なお、この軸棒支持部材３１は、後述するが、ダンパー４の緩衝軸４１と接触させる突出部５としてもよい。
【００１１】
そして、このようなサインポスト１において、取出口２の左右縁部２１ａ、２１ｂのうち少なくとも片側のポスト本体１１内部側にダンパー４を配設する。ダンパー４の配設は、たとえば、図２および図３の例のように、ダンパー４に係合爪４２を設け、これを取出口２の縁部２１ａ、２１ｂに設けられている係合爪受孔２２に挿し込んで係合させることで、配設することができる。
【００１２】
また、本願発明のサインポスト１においては、上記ダンパー４の配設とともに、取出口蓋３の裏面下端部に、取出口蓋３の開放に従いダンパー４の緩衝軸４１と接触し、ダンパー４の矢印で示した上下運動による緩衝力で取出口蓋３の開放を緩やかにする突出部５を設けている。この突出部５は、図１および図２の例のように、前記軸棒支持部材３１と一体形成したものでもよいし、図３の例のように、別体として形成したものでもよい。いずれの場合においても、突出部５は、取出口蓋３が開放する際にダンパー４の緩衝軸４１と接触し、緩衝力を得るため開放に従って緩衝軸４１を押し上げることが重要である。
【００１３】
このような構成を備えた本願発明のサインポスト１によって、取出口蓋３の開閉の際に生じる不快な金属音を軽減し、また、不測の際における衝撃音の緩和とともに、衝撃そのものをも緩和して損傷を防止することができる。
【００１４】
また、図１から図３に例示したように、本願発明のサインポスト１において、取出口蓋３には、通常、投函物の確認のため内部が見えるような透明もしくは半透明なのぞき窓３３が設けられていてもよい。さらには、取出口蓋３の開閉をスムーズにするために、図１の例のようにプッシュラッチ６や、図には示していないが把手等が配設されていてもよい。
【００１５】
特に、プッシュラッチ６とすることで、取出口蓋３の開閉を簡単にすることができ、好ましい。具体的には、プッシュラッチ６の場合、プッシュラッチ６とポスト本体１１側に形成されているプッシュラッチ受部１２との係合が、プッシュラッチ６を押すだけで開放され、取出口蓋３を開くことができる。このため、たとえば、荷物等で片手しか使用できない場合でも、簡単に開くことができる。その一方で、取出口蓋３を閉じるときも、取出口蓋３を押し込むだけで、プッシュラッチ６とプッシュラッチ受部１２との係合が確実に行われ、取出口蓋３を確実に閉じることができる。また、このプッシュラッチ６は、防犯性の高いロック機能を有するダイアル式プッシュラッチでもよい。
【００１６】
そして、本願発明のサインポスト１は、取出口蓋３の開閉方式を、上記のとおり、上から下へと開放する下開き式としているため、従来の下から上へと開放する上開き式のサインポストのように、取出口蓋３を開きながら使用者は体を屈ませて、投函物の有無を確認して、取り出すという必要がなくなった。具体的には、下開き式とすることで、使用者の手を煩わせることなく、取出口蓋３を自重によって開放した状態に維持させることができ、その間に投函物の確認および取り出しをスムーズにできる。
【００１７】
このような特徴を有する本願発明のサインポスト１は、図１の例のようにブロック塀７等に埋め込んで設置する埋め込み型のサインポスト１としてもよいし、図には示していないが、壁掛け型や据置き型、ポール取付け型等のサインポストとしてもよい。
【００１８】
なお、図には示していないが、本願発明のサインポストの本体前面に形成されている投入口には、開閉自在の蓋体が投入口をカバーするように備えられていてもよく、その際には、バネを介して備えられていることで、投函物等の投函時には内側に押し込まれて開き、投函後にはバネによって閉じることができる。
【００１９】
さらにまた、本願発明のサインポスト１においては、図３に例示したように、内底面８に短時間の受光により長時間にわたり高明度の発光をすることが可能な汎用の蓄光性材料を、その一部または全部が、投函物によって隠蔽されるように配設して発光層９を形成してもよい。発光層９を形成することで、発光層９の光量の強弱の変化から、夜間でも投函物の有無を簡単に確認できる。つまり、投函物が投函されていない場合には、発光層９が発する光が投函物によって遮断されることはないので、光量に変化はほとんどなく、光量が強い状態にある。一方、投函物が投函されている場合には、この投函物によって発光層９が発する光は遮断されることになり、光量が弱くなる。
【００２０】
なお、発光層９が発光するためには、太陽光やＵＶ等の光の吸収が必要であるが、通常、取出口蓋３には、上記のとおり、透明もしくは半透明ののぞき窓３３を有しているので、効率よく光が入射して蓄光（吸収）することができるとともに、発光時の光量も確認できる。
【００２１】
もちろん、本願発明のサインポストは、以上の例示によって限定されるものではなく、その細部において様々な態様とすることが可能であることはいうまでもない。たとえば、サインポストを構成する各部材の材質としては、アルミダイカスト、ガルバリウム鋼板、ステンレス綱（ＳＵＳ３０４、ＳＵＳ３１６等）、各種のプラスチック（ＡＢＳ樹脂やＡＥＳ樹脂、ＰＭＭＡ樹脂等）等、適宜に使用することができ、これらに必要に応じて耐候性を高めるための塗装処理等を施してもよい。
【図面の簡単な説明】
【００２２】
【図１】本願発明のサインポストの一実施形態を例示した全体斜視図であり、（Ａ）は取出口蓋が閉まっている状態、（Ｂ）は取出口蓋が開いている状態を示している。
【図２】図１におけるＸ部の拡大図であり、取出口蓋が開放した状態におけるダンパーの様子を例示している。
【図３】本願発明の別のサインポストの背部を例示した要部断面斜視図である。
【符号の説明】
【００２３】
１  サインポスト
１１  ポスト本体
１２  プッシュラッチ受部
２  取出口
２１ａ、２１ｂ  縁部
２２  係合爪受孔
３  取出口蓋
３１  軸棒支持部材
３２  軸棒
３３  のぞき窓
４  ダンパー
４１  緩衝軸
４２  係合爪
５  突出部
６  プッシュラッチ
７  ブロック塀
８  内底面
９  発光層
【図１】
2006296890.tif 000003
【図２】
2006296890.tif 000004
【図３】
2006296890.tif 000005